(57)【特許請求の範囲】
【請求項１】
一部のパネルに窓を有するパネルシャッタに於いて、シャッタカーテンを構成する少なくとも１つのパネルに窓開口が穿設され、該窓開口と相似形で該窓開口より大きい窓材がパネルの一側面に配置され、前記窓材が前記窓開口の内縁に装着される封止部材を介してパネル本体に取付けられ、前記封止部材を鋼板の板材によって形成された抑え部材により前記パネル本体に固定し、
前記封止部材は、前記窓材が嵌合する凹溝を有し、該凹溝を形成する２つの溝壁の一方にはパネル挾持溝を形成する外舌片部が設けられ、他方の溝壁には抑え部材挾持溝を形成する内舌片部が設けられ、前記パネル挾持溝には前記窓開口の内縁が嵌入し、前記抑え部材挾持溝には前記抑え部材の内縁が嵌入する様になっていることを特徴とするパネルシャッタ。
【請求項２】
前記抑え部材は、前記パネル本体の内面側から固着具によって前記パネル本体に固定され、前記外舌片部から外側に向って舌縁部が延出し、該舌縁部によって前記固着具が覆われる請求項１のパネルシャッタ。
【請求項３】
前記一方の凹溝の外面には突条が全周に亘って連続して形成され、該突条は前記パネル本体の裏面に当接する請求項１のパネルシャッタ。
【発明の詳細な説明】
【技術分野】
【０００１】
本発明は、パネルを上下方向に所要数連結して構成されるシャッタカーテンを有するパネルシャッタに関するものであり、特に防火性能を向上させたパネルシャッタに関するものである。
【背景技術】
【０００２】
建屋、構築物等の出入口等の開口部を開閉するシャッタ装置として、パネルシャッタがあり、パネルシャッタの１つとして例えばオーバヘッドドアがあり、該オーバヘッドドアは複数のパネルを屈曲自在に連結してシャッタカーテンを構成し、該シャッタカーテンをガイドレールに沿って昇降させることで開口部を開閉している。
【０００３】
図６により、オーバヘッドドアについて概略を説明する。
【０００４】
建屋、構築物等の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。前記巻取シャフト４の両端部にはドラム８が設けられ、該ドラム８に巻付けられたワイヤ（図示せず）が前記シャッタカーテン６の下端に連結されている。
【０００６】
開口部が開かれる場合は、前記開閉装置５が前記巻取シャフト４を介して前記ドラム８を回転し、前記ワイヤ（図示せず）が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５が前記巻取シャフト４を介して前記ドラム８を逆方向に回転し、前記ワイヤ（図示せず）が繰出されて前記シャッタカーテン６が降下され、開口部が閉じられる。
【０００８】
従来より、パネルシャッタには、採光の為に、前記パネル７の一部に採光用の窓９が設けられている。
【０００９】
図７に於いて、従来の窓構造について説明する。
【００１０】
鋼板等の板材により形成されたパネル本体１１には、所要形状、例えば水平方向に長い長円形状の窓開口１２が穿設され、該窓開口１２に封止部材であるガスケット１３を介して透明の窓材１４、例えば網入りガラスが嵌込まれる。
【００１１】
前記ガスケット１３は前記窓開口１２の内縁全周を覆う様にパネル本体１１に装着されると共に前記窓材１４の外縁全周にも装着され、該窓材１４と前記窓開口１２間の間隙を封止する。従って、前記ガスケット１３は、前記窓材１４を保持すると共に前記窓開口１２のシール部材として機能している。
【００１２】
パネルシャッタには、建屋、構築物等の出入口等の開口部を開閉すると共に火災時には延焼の抑制の機能が要求される。この為、火災時に前記窓材１４が脱落して、前記窓開口１２が貫通しないことが必要である。
【００１３】
上記した従来の窓構造では防火性能を満たす為に、前記ガスケット１３を難燃性材料とし、火災時に前記ガスケット１３が焼失して前記窓材１４が脱落することを防止している。
【００１４】
然し乍ら、前記ガスケット１３が長時間、火炎に曝される等すると、やはり前記ガスケット１３が焼失する虞れがある。
【先行技術文献】
【特許文献】
【００１５】
【特許文献１】実開平７−３２１８８号公報
【特許文献２】実開平６−５６４８２号公報
【発明の概要】
【発明が解決しようとする課題】
【００１６】
本発明は斯かる実情に鑑み、窓構造に用いられる封止部材が焼失した場合でも、窓材が脱落して窓開口が貫通することのないパネルシャッタを提供するものである。
【課題を解決するための手段】
【００１７】
本発明は、一部のパネルに窓を有するパネルシャッタに於いて、シャッタカーテンを構成する少なくとも１つのパネルに窓開口が穿設され、該窓開口と相似形で該窓開口より大きい窓材がパネルの一側面に配置され、前記窓材が前記窓開口の内縁に装着される封止部材を介してパネル本体に取付けられ、前記封止部材を抑え部材により前記パネル本体に固定したパネルシャッタに係るものである。
【００１８】
又本発明は、前記封止部材は、前記窓材が嵌合する凹溝を有し、該凹溝を形成する２つの溝壁の一方にはパネル挾持溝を形成する外舌片部が設けられ、他方の溝壁には抑え部材挾持溝を形成する内舌片部が設けられ、前記パネル挾持溝には窓開口の内縁が嵌入し、前記抑え部材挾持溝には前記抑え部材の内縁が嵌入する様になっているパネルシャッタに係るものであり、更に又、前記抑え部材は、前記パネル本体の内面側から固着具によって前記パネル本体に固定され、前記外舌片部から外側に向って舌縁部が延出し、該舌縁部によって前記固着具が覆われるパネルシャッタに係るものである。
【発明の効果】
【００１９】
本発明によれば、一部のパネルに窓を有するパネルシャッタに於いて、シャッタカーテンを構成する少なくとも１つのパネルに窓開口が穿設され、該窓開口と相似形で該窓開口より大きい窓材がパネルの一側面に配置され、前記窓材が前記窓開口の内縁に装着される封止部材を介してパネル本体に取付けられ、前記封止部材を抑え部材により前記パネル本体に固定したので、窓開口より形状の大きい窓材の取付けを可能とし、又前記窓材に外側から大きな外力が作用しても、窓材が外れることはなく、防犯性が向上し、又前記封止部材が焼失したとしても、前記窓材は前記抑え部材によって保持され、前記窓材が脱落することがなく、防煙性、防火性が向上する。
【００２０】
又本発明によれば、前記封止部材は、前記窓材が嵌合する凹溝を有し、該凹溝を形成する２つの溝壁の一方にはパネル挾持溝を形成する外舌片部が設けられ、他方の溝壁には抑え部材挾持溝を形成する内舌片部が設けられ、前記パネル挾持溝には窓開口の内縁が嵌入し、前記抑え部材挾持溝には前記抑え部材の内縁が嵌入する様になっているので、部材の縁が露出することなく意匠性が向上する。
【００２１】
又本発明によれば、前記抑え部材は、前記パネル本体の内面側から固着具によって前記パネル本体に固定され、前記外舌片部から外側に向って舌縁部が延出し、該舌縁部によって前記固着具が覆われるので、固着具の露出が防止され、意匠性が向上する等の優れた効果を発揮する。
【図面の簡単な説明】
【００２２】
【図１】本発明の第１の実施例に係るパネル窓部を示すパネル部分図である。
【図２】該パネルの側面図である。
【図３】図１のＡ−Ａ矢視図である。
【図４】該パネル窓部の窓材保持部の拡大断面図である。
【図５】第２の実施例のパネル窓部の窓材保持部の拡大断面図である。
【図６】パネルシャッタの一例を示す斜視図である。
【図７】図６のＢ矢視方向を示し、パネル窓部の窓材保持部の拡大断面図である。
【発明を実施するための形態】
【００２３】
以下、図面を参照しつつ本発明の実施例を説明する。
【００２４】
図１〜図４は、本発明の第１の実施例を示している。
【００２５】
尚、第１の実施例に於いて、パネルシャッタの基本的な構成は、図６で示したものと同様であるので説明を省略し、図１〜図４中、図６で示したものと同等のものには同符号を付してある。
【００２６】
パネル本体１１に所要形状、例えば水平方向に長い長円形の窓開口１２が穿設される。該窓開口１２を閉塞する様に、窓材１４が前記パネル本体１１の裏面側に配置される。該窓材１４は前記窓開口１２と相似形であり、窓開口１２より大きな形状をしており、前記窓材１４は全周で周縁部が所要幅で前記パネル本体１１にオーバラップする。
【００２７】
前記窓材１４は、封止部材であると共に保持部材でもあるガスケット１６を介して前記パネル本体１１に取付けられる。前記ガスケット１６は前記パネル本体１１の裏面側から抑え部材１７によって、前記パネル本体１１と前記抑え部材１７との間に挾持される。
【００２８】
前記抑え部材１７は、前記ガスケット１６の上下の直線部分全長に亘って設けられ、断面が略クランク形状となっており、ブラインドリベット、リベット、ボルト等所要の固着具１８によって前記パネル本体１１に固着される。
【００２９】
前記ガスケット１６は難燃性材質の合成ゴム、合成樹脂製等で、長尺状に押出成形され、又前記ガスケット１６の断面形状は、略凹字形状をしている。断面の中央には前記パネル本体１１が嵌合する凹溝２１が形成される。該凹溝２１を形成する溝壁の内、外面側に位置する外溝壁２２の外面側には断面の内縁から外縁に向って折返された外舌片部２３が形成され、該外舌片部２３と前記外溝壁２２との間に前記パネル本体１１を挾持するパネル挾持溝２４が形成される。
【００３０】
又、前記外溝壁２２の外面には、２本の突条２５が全周に亘って連続して形成されている。前記パネル挾持溝２４に前記パネル本体１１が嵌入した状態で、前記パネル本体１１の外面には前記外舌片部２３の先端が当接し、前記パネル本体１１の内面には前記突条２５が当接する様になっており、前記外舌片部２３の先端は、２本の前記突条２５の間に位置する。２本の該突条２５が前記パネル本体１１の裏面に当接することで、シール効果を確実としている。
【００３１】
前記凹溝２１を形成する溝壁の内、内面側に位置する内溝壁２６の内面側には、断面の内縁から外縁に向って折返された内舌片部２７が形成され、該内舌片部２７と前記内溝壁２６との間に前記抑え部材１７を挾持する抑え部材挾持溝２８が形成される。
【００３２】
前記窓材１４を取付ける場合は、前記窓開口１２に前記ガスケット１６を装着し、該ガスケット１６の前記凹溝２１に前記窓材１４を嵌込み、該窓材１４を前記ガスケット１６を介して前記パネル本体１１に取付ける。次に、前記抑え部材１７を内縁が前記抑え部材挾持溝２８に嵌入する様にして前記パネル本体１１に取付け、前記ガスケット１６を前記パネル本体１１に固定する。
【００３３】
前記窓材１４、前記抑え部材１７が取付けられた状態では、前記窓開口１２の内縁及び前記抑え部材１７の内縁は、それぞれ前記ガスケット１６によって覆われた状態となる。
【００３４】
上記した第１の実施例に於いて、前記窓材１４が前記窓開口１２より大きく、更に前記ガスケット１６を介して前記抑え部材１７によって挾持されているので、前記窓材１４に外部から内側に向って過度に外力が作用した場合にも、前記パネル挾持溝２４から前記パネル本体１１が外れて前記窓材１４が脱落することはない。従って、防犯性能に優れる。
【００３５】
又、前記ガスケット１６が長時間火炎に曝される等して、前記ガスケット１６が焼失した場合にも、前記窓材１４は抑え部材１７によってその位置が保持されるので、又、前記窓材１４が前記窓開口１２より大きいので、前記窓開口１２が開放され、火炎が該窓開口１２を貫通することがない。従って、防火、防煙用効果が向上する。
【００３６】
図５は、第２の実施例を示している。又、図５中、図４中で示したものと同等のものには同符号を付してある。
【００３７】
第２の実施例に使用されるガスケット３０の基本的な構成は、第１の実施例に用いられたガスケット１６と同様であり、凹溝２１、パネル挾持溝２４、抑え部材挾持溝２８が形成され、該凹溝２１に窓材１４が嵌入し、前記パネル挾持溝２４にパネル本体１１が嵌入し、前記抑え部材挾持溝２８に抑え部材１７が嵌入し、前記窓材１４は前記ガスケット３０を介して前記パネル本体１１に保持され、前記ガスケット３０は前記パネル本体１１と前記抑え部材１７間に挾持される。
【００３８】
外舌片部２３には、外側に向って更に延出する舌縁部２３ａが形成されている。該舌縁部２３ａは前記パネル本体１１との間に空間３１を形成する様に、断面が湾曲した形状を有し、前記舌縁部２３ａの先端２３ｂは前記パネル本体１１の表面に密着する。又、前記外舌片部２３自体も前記パネル本体１１表面に密着する先端２３ｃを有しており、前記外舌片部２３は、前記先端２３ｂ，２３ｃにより前記パネル本体１１の表面に密着し、シール性を高めている。
【００３９】
又、凹溝２１を形成する一方の溝壁である外溝壁２２の外面には、突条２５が全周に亘って連続して形成され、前記先端２３ｃは前記突条２５とは対向する位置又は互いにずれた位置に形成されている。尚、図示では該突条２５は、１本であるが、上記第１の実施例と同様、２本の突条２５を形成してもよい。
【００４０】
而して、前記ガスケット３０は前記パネル本体１１の表裏から３箇所で（それぞれ全周方向に連続して）密着しており、前記ガスケット３０のシール性が確保される。
【００４１】
前記抑え部材１７は前記パネル本体１１の裏面から固着具１８によって前記パネル本体１１に固着され、前記固着具１８の止め位置は先端が前記空間３１に突出する様に設定される。従って、前記固着具１８は前記外舌片部２３によって覆われ、前記固着具１８は外部から見えない様になっており、意匠性が向上する。
【００４２】
又、前記ガスケット３０、前記窓材１４の取付けは、パネル本体１１の裏面側から行え、更に前記抑え部材１７の取付け、ブラインドリベット、ボルト等の固着具１８による固定も前記パネル本体１１の裏面側から行え、作業は裏面側からの一方向からの作業で完了させることができ、作業性がよい。
【００４３】
本実施例に於いても、前記窓材１４が前記窓開口１２より大きく、又、前記抑え部材１７によって保持されているので、前記窓材１４に外部から内側に向って過度に外力が作用した場合にも、前記パネル挾持溝２４から前記パネル本体１１が外れて前記窓材１４が脱落することはない。
【００４４】
又、前記ガスケット３０が焼失した場合にも、前記窓材１４は前記抑え部材１７によってその位置が保持されるので、前記窓開口１２が開放されることはない。従って、防犯性、防火、防煙用効果が向上する。
【００４５】
尚、前記ガスケット１６、前記ガスケット３０の形状は、前記窓材１４を保持し、前記抑え部材１７によって前記パネル本体１１に固定され得る形状であればよい。又、前記抑え部材１７はガスケットの形状に合わせて設けられ、前記ガスケットが矩形形状であれば、上下左右に設けてもよい。又、前記抑え部材１７は１本の通し部材ではなく、短く切断したものを所要間隔で取付けてもよい。
【符号の説明】
【００４６】
１              垂直ガイドレール
２              水平ガイドレール
３              湾曲レール
６              シャッタカーテン
７              パネル
９              窓
１１            パネル本体
１２            窓開口
１４            窓材
１６            ガスケット
１７            抑え部材
１８            固着具
２１            凹溝
２３            外舌片部
２３ａ          舌縁部
２５            突条
２７            内舌片部
３０            ガスケット
３１            空間
【図１】
0005630761.tif 000002
【図２】
0005630761.tif 000003
【図３】
0005630761.tif 000004
【図４】
0005630761.tif 000005
【図５】
0005630761.tif 000006
【図６】
0005630761.tif 000007
【図７】
0005630761.tif 000008